(57)【要約】  患者の管腔を含む特徴の医療イメージング及び測定を提供するシステム、デバイス、及び方法が提供される。管腔内イメージングシステムは、管腔内に配置されたイメージングデバイスからイメージングデータを受信するように、及び、イメージングデータ内における特徴、例えば病巣及びステントを識別する、及び測定するように構成される。測定結果は、病巣スコア及び／又は拡張スコアを生成するために使用される。管腔スコア、拡張スコア、及び関連する測定結果は、患者に対する更なるイメージング手順又は処置の選択肢に役立つようにユーザーに表示される。
2021517033.tif 000002
【特許請求の範囲】
【請求項１】
患者の体管腔内に配置された管腔内イメージングデバイスと通信する制御装置であって、前記制御装置が、
前記体管腔に関連したイメージングデータを前記管腔内イメージングデバイスから受信することと、
受信された前記イメージングデータに基づいて前記体管腔の解剖学的特徴の測定結果を提供することと、
受信された前記イメージングデータに基づいて病巣を含む前記体管腔内における関心エリアを識別することと、
前記イメージングデータと前記体管腔の前記解剖学的特徴の前記測定結果とに基づいて前記病巣に対する病巣スコアを特定することと、
を行う、制御装置と、
前記制御装置と通信するディスプレイデバイスであって、前記ディスプレイデバイスが、前記病巣スコアと受信された前記イメージングデータに基づく前記体管腔の画像とを１つ又は複数のスクリーンに表示し、前記体管腔の前記画像が、前記関心エリアを含む、ディスプレイデバイスと、
を備える、管腔内医療イメージングシステム。
【請求項２】
前記制御装置が、更に、前記体管腔の放射線画像データ及び圧力データを受信する、請求項１に記載の管腔内医療イメージングシステム。
【請求項３】
前記病巣スコアが、受信された前記放射線画像データ及び前記圧力データに更に基づく、請求項２に記載の管腔内医療イメージングシステム。
【請求項４】
前記体管腔の前記画像が、受信された前記放射線画像データに基づく放射線画像である、請求項２に記載の管腔内医療イメージングシステム。
【請求項５】
前記病巣スコアが、前記スクリーンにおいて前記病巣と視覚的に相関をもたされる、請求項１に記載の管腔内医療イメージングシステム。
【請求項６】
前記病巣スコアが、前記関心エリア内における前記体管腔のプラーク負荷と前記体管腔の管腔面積とのうちの１つ以上に基づく、請求項１に記載の管腔内医療イメージングシステム。
【請求項７】
前記管腔内イメージングデバイスが、管腔内超音波イメージングデバイスを備え、前記病巣スコアが、圧力検出ガイドワイヤから受信された測定結果と管腔内超音波イメージングデータとに基づく、請求項１に記載の管腔内医療イメージングシステム。
【請求項８】
前記病巣スコアの表示が、前記病巣の重症度に対応した色を含む、請求項１に記載の管腔内医療イメージングシステム。
【請求項９】
患者の体管腔をイメージングする方法であって、
前記体管腔内に配置された管腔内イメージングデバイスから、前記体管腔に関連したイメージングデータを、制御装置を使用して受信するステップと、
受信された前記イメージングデータに基づいて、前記体管腔の特徴の測定結果を、前記制御装置を使用して提供するステップと、
受信された前記イメージングデータに基づいて、病巣を含む前記体管腔内における関心エリアを、前記制御装置を使用して識別するステップと、
前記イメージングデータと前記体管腔の前記特徴の前記測定結果とに基づいて、前記病巣に対する病巣スコアを特定するステップと、
前記関心エリアを含む、受信された前記イメージングデータに基づく前記体管腔の画像を、前記制御装置と通信するディスプレイデバイスの１つのスクリーンに表示するステップと、
前記病巣スコアを１つの前記スクリーンに表示するステップと、
を有する、方法。
【請求項１０】
前記イメージングデータが、前記体管腔の放射線画像データ及び圧力データである、請求項９に記載の方法。
【請求項１１】
受信された放射線画像データ及び圧力データに基づいて前記病巣スコアを特定するステップを更に有する、請求項９に記載の方法。
【請求項１２】
前記関心エリア内における前記体管腔の測定されたプラーク負荷と前記体管腔の管腔面積とに基づいて前記病巣スコアを特定するステップを更に有する、請求項９に記載の方法。
【請求項１３】
圧力検出ガイドワイヤと管腔内超音波イメージングデバイスとから受信されたデータに基づいて前記病巣スコアを特定するステップを更に有する、請求項９に記載の方法。
【請求項１４】
患者の体管腔内に配置された管腔内イメージングデバイスと通信する制御装置であって、前記制御装置が、
前記体管腔内に配置されたステントに関連したイメージングデータを前記管腔内イメージングデバイスから受信することと、
受信された前記イメージングデータに基づいて前記ステントの測定結果を提供することと、
前記イメージングデータと前記ステントの前記測定結果とに基づいて前記ステントに対する拡張スコアを特定することと、
を行う、制御装置と、
前記制御装置と通信するディスプレイデバイスであって、前記ディスプレイデバイスが、受信された前記イメージングデータに基づいて前記拡張スコアと前記ステントの画像とを１つのスクリーンに表示する、ディスプレイデバイスと、
を備える、管腔内イメージングシステム。
【請求項１５】
前記制御装置が、更に、前記体管腔の長手方向画像を前記ディスプレイデバイスの１つの前記スクリーンに表示する、請求項１４に記載の管腔内イメージングシステム。
【請求項１６】
前記長手方向画像が、前記ステントの遠位基準点を示す第１のインジケーターと前記ステントの近位基準点を示す第２のインジケーターとを含む、請求項１５に記載の管腔内イメージングシステム。
【請求項１７】
表示内容が、前記体管腔及び前記ステントの横断３Ｄ又は４Ｄ画像を更に含む、請求項１４に記載の管腔内イメージングシステム。
【請求項１８】
前記表示内容が、前記ステントと前記体管腔との間の位置ずれを示す強調表示領域を更に含む、請求項１７に記載の管腔内イメージングシステム。
【請求項１９】
前記測定結果が、前記ステントの管腔径である、請求項１４に記載の管腔内イメージングシステム。
【請求項２０】
前記測定結果が、前記ステントの管腔面積である、請求項１４に記載の管腔内イメージングシステム。
【発明の詳細な説明】
【技術分野】
【０００１】
[0001]  本開示は、一般に、管腔内イメージングデバイスを使用した患者の体管腔に関連したイメージングを含む、医療管腔内超音波イメージングに関する。例えば、本開示は、管腔内画像（例えば脈管内超音波又はＩＶＵＳ画像）を分析することにより病巣の重症度又はステントの拡張をスコアリングすることについて説明する。
【背景技術】
【０００２】
[0002]  様々な種類の管腔内（脈管内とも呼ばれる）イメージングシステムが、疾患を診断及び処置することに使用される。例えば、脈管内超音波（ＩＶＵＳ）イメージングが、患者の体内における脈管を可視化するための診断ツールとして介入型心臓学において広く使用されている。これは、処置の必要性を判定するために、処置を最適化するために、及び／又は、処置の有効性を評価するために、病変のある脈管、例えば人体内における動脈を評価することに役立つ。
【０００３】
[0003]  幾つかの場合において、管腔内イメージングは、１つ又は複数の超音波トランスデューサーを含むＩＶＵＳデバイスを使用して実行される。ＩＶＵＳデバイスは、脈管内に通され、イメージングされるエリアに案内される。トランスデューサーは、超音波エネルギーを出射し、脈管で反射された超音波エコーを受信する。超音波エコーは関心脈管の画像を生成するように処理される。関心脈管の画像は、脈管内の１つ又は複数の病巣又は閉塞を含む。ステントは、これらの閉塞を処置するために脈管内に配置され、脈管内におけるステントの配置を見るために、管腔内イメージングが実行される。
【発明の概要】
【発明が解決しようとする課題】
【０００４】
[0004]  医療専門家は、脈管の画像に基づいて脈管内における病巣の重症度をスコアリングして、病巣が重篤である、中程度である、又は軽度であるかを判定することを必要とする。典型的には、医療専門家は、病巣を識別するために脈管の画像を視覚的に比較することと、次に、病巣の重症度を決定することとによりこの判定を実行しなければならない。医療専門家が病巣を完全に見逃すか、又は、病巣の重症度について誤って判断をする可能性があるという理由から、これはロジスティックな、及び判断の誤りをもたらす可能性がある。医療専門家は、単に管腔内におけるステントの画像を見ることにより管腔内におけるステントの有効性を判定することを必要とされる場合もある。これらの現在の方法は、時間のかかるものであり、病巣の重症度及びステントの性能を特定することにおいて誤りをもたらす可能性がある。したがって、現在の管腔内画像スコアリングシステムには不備が存在する。
【課題を解決するための手段】
【０００５】
[0005]  体管腔内の閉塞（例えば血管内における病巣）を評価するための、及び、閉塞（例えば血管内におけるステント）に対する処置を評価するためのシステム、デバイス、及び方法が提供される。特に、管腔内画像スコアリングシステムは、病巣の重症度及びステントの拡張の自動スコアリングを提供する。病巣スコア又は拡張スコアは、ディスプレイデバイスにおいて脈管の１つ又は複数の画像とともに提供される。病巣スコア及び拡張スコアは、更なるイメージング手順又は処置のために管腔及び／又はステントを迅速かつ正確に評価することにおいてユーザーを支援する。
【０００６】
[0006]  本開示の態様は、既存の管腔内スコアリングシステムの制約を打開する管腔内スコアリングシステム及び分析を有益に提供する。
【０００７】
[0007]  本開示の実施形態は、患者の体管腔内に配置された管腔内イメージングデバイスと通信する制御装置であって、制御装置が、体管腔に関連したイメージングデータを管腔内イメージングデバイスから受信することと、受信されたイメージングデータに基づいて体管腔の解剖学的特徴の測定結果を提供することと、受信されたイメージングデータに基づいて病巣を含む体管腔内における関心エリアを識別することと、イメージングデータと体管腔の解剖学的特徴の測定結果とに基づいて病巣に対する病巣スコアを特定することと、を行うように構成される、制御装置と、制御装置と通信するディスプレイデバイスであって、ディスプレイデバイスが、病巣スコアと受信されたイメージングデータに基づく体管腔の画像とを１つ又は複数のスクリーンに表示するように構成され、体管腔の画像が関心エリアを含む、ディスプレイデバイスとを含む、管腔内医療イメージングシステムを提供する。
【０００８】
[0008]  幾つかの実施形態において、制御装置は、体管腔の放射線画像データ及び圧力データを受信するように更に構成される。病巣スコアは、受信された放射線画像データ及び圧力データに更に基づく。体管腔の画像は、受信された放射線画像データに基づく放射線画像である。病巣スコアは、スクリーンにおいて病巣と視覚的に相関をもたされる。病巣スコアは、関心エリア内における体管腔のプラーク負荷と体管腔の管腔面積とのうちの１つ又は複数に基づく。イメージングデバイスは、管腔内超音波（ＩＶＵＳ）イメージングデバイスを含み、病巣スコアは、圧力検出ガイドワイヤから受信された測定結果と管腔内ＩＶＵＳイメージングデータとに基づく。病巣スコアの表示は、病巣の重症度に対応した色を含む。
【０００９】
[0009]  体管腔内に配置された管腔内イメージングデバイスから体管腔に関連したイメージングデータを、制御装置を使用して受信することと、受信されたイメージングデータに基づいて、体管腔の特徴の測定結果を、制御装置を使用して提供することと、受信されたイメージングデータに基づいて、病巣を含む体管腔内における関心エリアを、制御装置を使用して識別することと、イメージングデータと体管腔の特徴の測定結果とに基づいて、病巣に対する病巣スコアを特定することと、関心エリアを含む、受信されたイメージングデータに基づく体管腔の画像を、制御装置と通信するディスプレイデバイスの１つのスクリーンに表示することと、病巣スコアを１つのスクリーンに表示することとを有する、患者の体管腔をイメージングする方法が更に提供される。
【００１０】
[0010]  幾つかの実施形態において、イメージングデータは、体管腔の放射線画像データ及び圧力データである。本方法は、受信された放射線画像データ及び圧力データに基づいて病巣スコアを特定することを有する。本方法は、関心エリア内における体管腔の測定されたプラーク負荷と体管腔の管腔面積とに基づいて病巣スコアを特定することを有する。本方法は、圧力検出ガイドワイヤとＩＶＵＳイメージングデバイスとから受信されたイメージングデータに基づいて病巣スコアを特定することを有する。
【００１１】
[0011]  患者の体管腔内に配置された管腔内イメージングデバイスと通信する制御装置であって、制御装置が、体管腔内に配置されたステントに関連したイメージングデータを管腔内イメージングデバイスから受信することと、受信されたイメージングデータに基づいてステントの測定結果を提供することと、イメージングデータとステントの測定結果とに基づいてステントに対する拡張スコアを特定することとを行うように構成された、制御装置と、制御装置と通信するディスプレイデバイスであって、ディスプレイデバイスが、受信されたイメージングデータに基づいて拡張スコアとステントの画像とを１つのスクリーンに表示するように構成される、ディスプレイデバイスとを含む、管腔内イメージングシステムが更に提供される。
【００１２】
[0012]  幾つかの実施形態において、制御装置は、体管腔の長手方向画像をディスプレイデバイスの１つのスクリーンに表示するように更に構成されている。長手方向画像は、ステントの遠位基準点を示す第１のインジケーターとステントの近位基準点を示す第２のインジケーターとを含む。表示内容は、体管腔とステントとの横断画像を更に含む。表示内容は、ステントと体管腔との間の位置ずれを示す強調表示領域を更に含む。測定結果は、ステントの管腔径又は管腔面積である。
【００１３】
[0013]  本開示の例示的な実施形態が添付図面を参照しながら説明される。
【図面の簡単な説明】
【００１４】
【図１】[0014]  本開示の態様による管腔内イメージングシステムの図式的な概略図である。
【図２】[0015]  本開示の態様によるプロンプトを示す表示内容の例示的な図である。
【図３】[0016]  本開示の態様による別のプロンプトを示す表示内容の例示的な図である。
【図４】[0017]  本開示の態様による別のプロンプト及び指示を示す表示内容の例示的な図である。
【図５】[0018]  本開示の態様によるイメージングデータ及び指示を示す表示内容の例示的な図である。
【図６】[0019]  本開示の態様によるイメージングデータを示す表示内容の例示的な図である。
【図７】[0020]  本開示の態様によるイメージングデータの様々なビューを示す表示内容の例示的な図である。
【図８】[0021]  本開示の態様によるイメージングデータ及び自動測定結果を示す表示内容の例示的な図である。
【図９】[0022]  本開示の態様によるイメージングデータ及び測定結果を示す別の表示内容の例示的な図である。
【図１０】[0023]  本開示の態様によるイメージングデータ及び病巣スコアを示す表示内容の例示的な図である。
【図１１】[0024]  本開示の態様によるステント及び拡張スコアを示す表示内容の例示的な図である。
【図１２】[0025]  本開示の態様による病巣スコアを特定する、及び表示する方法のフロー図である。
【図１３】[0026]  本開示の態様による拡張スコアを特定する、及び表示する方法のフロー図である。
【発明を実施するための形態】
【００１５】
[0027]  本開示の原理の理解を深めることを目的として、以下で、図面に描かれた実施形態が参照され、それについて説明するために特定の表現が使用される。それにもかかわらず、本開示の範囲を限定することを意図したものではないことが理解される。説明されるデバイス、システム、及び方法に対する任意の代替例及び更なる変形例、及び本開示に関連した当業者が通常想起するように、本開示の原理の任意の更なる用途が十分に想定され、本開示に含まれる。特に、一実施形態に関連して説明される特徴、コンポーネント、及び／又はステップが、本開示の他の実施形態に関連して説明される特徴、コンポーネント、及び／又はステップと組み合わされてよいことが十分に想定される。しかし、簡潔であるように、これらの組合せに関する多くの繰り返しとなる事項は個々に説明されない。
【００１６】
[0028]  図１は、本開示の態様による管腔内イメージングシステム１００の図式的な概略図である。管腔内イメージングシステム１００は、幾つかの実施形態において脈管内超音波（ＩＶＵＳ）イメージングシステムであり得る。管腔内イメージングシステム１００は、管腔内デバイス１０２、患者インターフェースモジュール（ＰＩＭ）１０４、コンソール又は処理システム１０６、モニター１０８、脈管造影システム１３０、外部超音波システム１３２、及び／又は、コンピュータ断層撮影（ＣＴ）システム１３４を含む。管腔内デバイス１０２は、寸法決めされ、形作られ、及び／又は、患者の体管腔内に配置されるように別様に構造的に構成される。例えば、管腔内デバイス１０２は、様々な実施形態において、カテーテル、案内ワイヤ、案内カテーテル、圧力ワイヤ、及び／又はフローワイヤであり得る。幾つかの状況において、システム１００は、追加的な要素を含んでよく、及び／又は、図１に示される要素のうちの１つ又は複数を含まずに実施されてよい。例えば、システム１００は、外部超音波システム１３２とＣＴシステム１３４との一方又は両方を省略する。幾つかの実施形態において、管腔内イメージングシステム１００は、病巣のスコアリング及び／又はステントの拡張を提供するように構成される。これらのスコアリング方法は、オペレーターが病巣の重症度又は効果的なステントの拡張を把握することを支援する。
【００１７】
[0029]  管腔内イメージングシステム１００（又は、脈管内イメージングシステム）は、患者の管腔又は脈管構造における使用に適した任意の種類のイメージングシステムであり得る。幾つかの実施形態において、管腔内イメージングシステム１００は、管腔内超音波（ＩＶＵＳ）イメージングシステムである。他の実施形態において、管腔内イメージングシステム１００は、フォワードルッキング管腔内超音波（ＦＬ−ＩＶＵＳ）イメージング、管腔内光音響（ＩＶＰＡ）イメージング、心腔内エコー検査（ＩＣＥ）、経食道心エコー検査（ＴＥＥ）、及び／又は、他の適切なイメージングモダリティのために構成されたシステムを含む。
【００１８】
[0030]  システム１００及び／又はデバイス１０２は、任意の適切な管腔内イメージングデータを取得するように構成され得ることが理解される。幾つかの実施形態において、デバイス１０２は、例えば光学イメージング、光コヒーレンス断層撮影（ＯＣＴ）などの任意の適切なイメージングモダリティのイメージングコンポーネントを含み得る。幾つかの実施形態において、デバイス１０２は、圧力センサー、流量センサー、温度センサー、光ファイバー、反射体、ミラー、プリズム、アブレーション要素、ラジオ周波（ＲＦ）電極、伝導体、及び／又はそれらの組合せなどが挙げられる、任意の適切なイメージングコンポーネントを含み得る。概して、デバイス１０２は、管腔１２０に関連した管腔内データを取得するためのイメージング要素を含み得る。デバイス１０２は、患者の脈管又は管腔１２０内への挿入のために寸法決めされ、形作られ（及び／又は構成され）る。
【００１９】
[0031]  システム１００は、制御室を含むカテーテル検査室に配備される。処理システム１０６は、制御室内に位置する。任意選択的に、処理システム１０６は、別の場所、例えばカテーテル検査室自体に位置してよい。カテーテル検査室は除菌場を含んでよいとともに、実施される工程に応じて、及び／又は、ヘルスケア施設に応じて、その関連する制御室が除菌されたものであってよく、又は除菌されていないものであってよい。カテーテル検査室及び制御室は、任意の数の医療イメージング工程、例えば、脈管造影、蛍光透視法、ＣＴ、ＩＶＵＳ、仮想組織構造（ＶＨ）、フォワードルッキングＩＶＵＳ（ＦＬ−ＩＶＵＳ）、管腔内光音響（ＩＶＰＡ）イメージング、冠血流予備量比（ＦＦＲ）特定、冠血流予備能（ＣＦＲ）特定、光コヒーレンス断層撮影（ＯＣＴ）、コンピュータ断層撮影、心腔内エコー検査（ＩＣＥ）、フォワードルッキングＩＣＥ（ＦＬＩＣＥ）、管腔内パルポグラフィー、経食道超音波、蛍光透視法、及び他の医療イメージングモダリティ、又はそれらの組合せを実施するために使用されてよい。幾つかの実施形態において、デバイス１０２は、例えば制御室といった離れた位置から制御されてよく、その結果、オペレーターは患者の非常に近くにいることを必要とされない。
【００２０】
[0032]  管腔内デバイス１０２、ＰＩＭ１０４、モニター１０８、脈管造影システム１３０、外部超音波システム１３２、及びＣＴシステム１３４は、処理システム１０６に直接的に、又は間接的に通信可能に結合される。これらの要素は、有線接続、例えば、標準的な銅リンク又は光ファイバーリンクを介して、及び／又は、ＩＥＥＥ  ８０２．１１  Ｗｉ−Ｆｉ規格、超広帯域（ＵＷＢ）規格、無線ＦｉｒｅＷｉｒｅ、無線ＵＳＢ、又は別の高速無線ネットワーキング規格を使用した無線接続を介して、医療処理システム１０６に通信可能に結合される。処理システム１０６は、１つ又は複数のデータネットワーク、例えば、ＴＣＰ／ＩＰベースのローカルエリアネットワーク（ＬＡＮ）に通信可能に結合される。他の実施形態において、異なるプロトコル、例えば同期光ネットワーキング（ＳＯＮＥＴ）が使用される。幾つかの場合において、処理システム１０６は、広域ネットワーク（ＷＡＮ）に通信可能に結合される。処理システム１０６は、様々なリソースにアクセスするためのネットワーク接続機能を使用する。例えば、処理システム１０６は、ネットワーク接続を介して、医用デジタル画像形成及び通信（ＤＩＣＯＭ）システム、画像保管通信システム（ＰＡＣＳ）、及び／又は、病院情報システムと通信する。
【００２１】
[0033]  ハイレベルにおいて、管腔内デバイス１０２が、管腔内デバイス１０２の遠位端付近に搭載されたスキャナ組立体１１０に含まれるトランスデューサーアレイ１２４から超音波エネルギーを出射する。超音波エネルギーは、スキャナ組立体１１０の周辺における媒体（例えば管腔１２０）内の組織構造により反射され、超音波エコー信号がトランスデューサーアレイ１２４により受信される。スキャナ組立体１１０は、超音波エコーを表す電気信号を生成する。スキャナ組立体１１０は、例えば、平面アレイ、湾曲したアレイ、円周アレイ、環状アレイなどの任意の適切な構成をとる、１つ又は複数の、単一超音波トランスデューサー及び／又はトランスデューサーアレイ１２４を含み得る。例えば、スキャナ組立体１１０は、幾つかの場合において、一次元アレイ又は二次元アレイであり得る。幾つかの場合において、スキャナ組立体１１０は、回転式超音波デバイスであり得る。スキャナ組立体１１０の有効エリアは、一様に、又は独立して制御され、及び有効化され得る１つ又は複数のトランスデューサー部材、及び／又は、超音波要素の１つ又は複数のセグメント（例えば、１つ又は複数の行、１つ又は複数の列、及び／又は１つ又は複数の配向）を含み得る。スキャナ組立体１１０の有効エリアは、様々な基本的な、又は複雑な形状にパターン形成され、又は構造化され得る。スキャナ組立体１１０は、サイドルッキング配向（例えば、管腔内デバイス１０２の長手方向の軸に垂直に、及び／又は直交して超音波エネルギーが出射される）で、及び／又は、フォワードルッキングのルッキング配向（例えば、長手方向の軸に平行に、及び／又は長手方向の軸に沿って超音波エネルギーが出射される）で位置し得る。幾つかの場合において、スキャナ組立体１１０は、近位方向に、又は遠位方向に、長手方向の軸に対して傾いた角度で超音波エネルギーを出射及び／又は受信するように構造的に配置される。幾つかの実施形態において、超音波エネルギーの出射は、スキャナ組立体１１０の１つ又は複数のトランスデューサー要素の選択的なトリガーにより電子的に操縦され得る。
【００２２】
[0034]  スキャナ組立体１１０の超音波トランスデューサーは、圧電微細加工超音波トランスデューサー（ＰＭＵＴ）、容量性微細加工超音波トランスデューサー（ＣＭＵＴ）、単結晶、チタン酸ジルコン酸鉛（ＰＺＴ）、ＰＺＴ複合材料、他の適切なトランスデューサータイプ、及び／又は、それらの組合せであり得る。一実施形態において、超音波トランスデューサーアレイ１２４は、例えば２つのトランスデューサー、４つのトランスデューサー、３６個のトランスデューサー、６４個のトランスデューサー、１２８個のトランスデューサー、５００個のトランスデューサー、８１２個のトランスデューサーといった値、及び／又はより大きい、及びより小さい他の値を含む、１つのトランスデューサーから１０００個のトランスデューサーの間の任意の適切な数の個々のトランスデューサーを含み得る。
【００２３】
[0035]  ＰＩＭ１０４は、受信されたエコー信号を処理システム１０６に伝達し、処理システム１０６において（流量情報を含む）超音波画像が再構成され、及びモニター１０８に表示される。コンソール又は処理システム１０６は、プロセッサとメモリとを含み得る。処理システム１０６は、本明細書において説明されている管腔内イメージングシステム１００の機能を円滑化するように動作可能である。例えば、プロセッサは、非一時的な有形なコンピュータ可読媒体に記憶されたコンピュータ可読命令を実行し得る。
【００２４】
[0036]  ＰＩＭ１０４は、処理システム１０６と管腔内デバイス１０２に含まれるスキャナ組立体１１０との間における信号の通信を円滑化する。この通信は、管腔内デバイス１０２内における集積回路制御装置チップにコマンドを提供すること、送信及び受信のために使用されるトランスデューサーアレイ１２４における特定の要素を選択すること、選択されたトランスデューサーアレイ要素を励起するために電気パルスを生成するために送信器回路を有効化するために集積回路制御装置チップに送信トリガー信号を提供すること、及び／又は、集積回路制御装置チップに含まれる増幅器を介して、選択されたトランスデューサーアレイ要素から受信された増幅されたエコー信号を受け入れることを有する。幾つかの実施形態において、ＰＩＭ１０４は、処理システム１０６にデータを中継する前に、エコーデータの予備的プロセスを実施する。このような実施形態の例において、ＰＩＭ１０４は、データの増幅、フィルタ処理、及び／又は収集を実施する。一実施形態において、ＰＩＭ１０４は、更に、スキャナ組立体１１０内の回路を含む管腔内デバイス１０２の動作をサポートするために高電圧及び低電圧ＤＣ電力を供給する。
【００２５】
[0037]  幾つかの実施形態において、ＰＩＭ１０４は、処理システム１０６と、脈管造影システム１３０、外部超音波システム１３２、及び／又はＣＴシステム１３４のうちの１つ又は複数との間の通信を円滑化する。脈管造影システム１３０は、放射線撮影、脈管造影、及び蛍光透視法のうちの任意のものを実施するように構成されたコンポーネントを含む。幾つかの状況において、脈管造影システム１３０及び／又はＣＴシステム１３４は、他のイメージングデータに対する基準として使用される対象者の脈管構造の画像を取得するために使用される。例えば、脈管造影画像は、画像に対する、より適切なコンテキストを提供するために（例えば図１０に示される）管腔内イメージングデータとともに表示される。
【００２６】
[0038]  幾つかの実施形態において、ＩＶＵＳデータ及び／又は外部超音波データは、２Ｄ又は３Ｄ  ＣＴ画像とコレジスタされてよく、このことが、配置の正確さを更に改善し、工程時間を短縮する。管腔内デバイス１０２の配置は、このマルチイメージングシステムを使用して検証されてよく、このことが、標準的な蛍光透視による補助に対する結果を改善する。幾つかの実施形態において、管腔内デバイス１０２は、ＣＴ画像及び／又は脈管造影図において識別された標的位置（例えば病巣又は動脈瘤）まで追跡される。幾つかの実施形態において、コレジスタされたＩＶＵＳ及びＣＴ画像データから生成されたロードマップは、正確さを更に改善するために蛍光透視データに相関する。例えば、処理システム１０６は、患者の脈管を通した管腔内デバイス１０２のナビゲーションを改善するために、ロードマップ及び蛍光透視データに基づいてイメージングループを生成する。
【００２７】
[0039]  処理システム１０６は、ＰＩＭ１０４を経由してスキャナ組立体１１０からエコーデータを受信し、スキャナ組立体１１０の周辺における媒体内における組織構造の画像を再構成するためにデータを処理する。概して、デバイス１０２は、任意の適切な解剖学的構造及び／又は患者の体管腔内において使用され得る。脈管又は管腔１２０の画像、例えば管腔１２０の断面ＩＶＵＳ画像がモニター１０８に表示されるように、処理システム１０６が画像データを出力する。管腔１２０は自然な、及び人工的な、流体により充填された、又は囲まれた構造物を表す。管腔１２０は患者の体内に存在する。管腔１２０は、心臓脈管構造、末梢脈管構造、神経脈管構造、腎臓脈管構造、及び／又は、体内における任意の他の適切な管腔といった、患者の脈管系の血管、動脈、又は静脈であってよい。例えば、デバイス１０２は、任意の数の解剖学的位置及び組織タイプ、例えば、限定されないが、臓器、例えば、肝臓、心臓、腎臓、胆嚢、膵臓、肺；管；腸；神経系構造物、例えば、脳、硬膜嚢、脊髄、及び末梢神経；尿路；及び、心臓の血液、心腔、又は他の部分、及び／又は、体の他の系内における弁を検査するために使用される。自然な構造物に加えて、デバイス１０２は、人工の構造物、例えば、限定されないが、心臓弁、ステント、シャント、フィルタ、及び他のデバイスを検査するために使用される。
【００２８】
[0040]  制御装置又は処理システム１０６は、メモリ及び／又は他の適切な有形のコンピュータ可読記憶媒体と通信する１つ又は複数のプロセッサを含む処理回路を含んでよい。制御装置又は処理システム１０６は、本開示の１つ又は複数の態様を実行するように構成される。幾つかの実施形態において、処理システム１０６及びモニター１０８は独立したコンポーネントである。他の実施形態において、処理システム１０６及びモニター１０８は１つのコンポーネントに統合されている。例えば、システム１００は、タッチスクリーンディスプレイを含むハウジングとプロセッサとを含むタッチスクリーンデバイスを含み得る。システム１００は、ユーザーがモニター１０８に示される選択肢を選択するための、例えば、タッチ感応式パッド、又は、タッチスクリーンディスプレイ、キーボード／マウス、ジョイスティック、ボタンなどの任意の適切な入力デバイスを含み得る。処理システム１０６、モニター１０８、入力デバイス、及び／又はそれらの組合せは、システム１００の制御装置と呼ばれ得る。制御装置は、デバイス１０２、ＰＩＭ１０４、処理システム１０６、モニター１０８、入力デバイス、及び／又は、システム１００の他のコンポーネントと通信し得る。
【００２９】
[0041]  幾つかの実施形態において、処理システム１０６は、デバイス１０２、脈管造影システム１３０、外部超音波システム１３２、及び／又はＣＴシステム１３４から受信されたイメージングデータに基づいて、ステントに対する管腔スコア及び／又は拡張スコアを計算するように構成される。これらのスコアリングは、他のイメージングデータ、例えば管腔の１つ又は複数の画像とともにモニター１０８のスクリーン上に提供される。病巣スコア及び拡張スコアは、確立されたレーティングスケールに基づいて重症度又は有効性に相関する。これらのスコアリングは、病巣又はステントを正確かつ迅速に判断するために、及び、ユーザーを適切な処置に導くためにユーザーに役立つ。これは、病巣及びステントの評価に対する信頼性を高め、スコアリング工程における時間を削減する。
【００３０】
[0042]  幾つかの実施形態において、管腔内デバイス１０２は、例えば、Ｖｏｌｃａｎｏ  Ｃｏｒｐｏｒａｔｉｏｎから入手可能なＥａｇｌｅＥｙｅ（登録商標）カテーテル、及び、その全体が参照により本明細書に組み込まれる米国特許第７，８４６，１０１号に開示されているものといった、従来のソリッドステートＩＶＵＳカテーテルと同様の幾つかの特徴を含む。例えば、管腔内デバイス１０２は、管腔内デバイス１０２の遠位端付近におけるスキャナ組立体１１０と、管腔内デバイス１０２の長手本体に沿って延びた伝送線束１１２とを含み得る。ケーブル又は伝送線束１１２は、複数の伝導体、例えば、１つ、２つ、３つ、４つ、５つ、６つ、７つ、又はそれらより多い伝導体を含み得る。
【００３１】
[0043]  伝送線束１１２は、管腔内デバイス１０２の近位端におけるＰＩＭコネクタ１１４において終端している。ＰＩＭコネクタ１１４は、伝送線束１１２をＰＩＭ１０４に電気的に結合し、管腔内デバイス１０２をＰＩＭ１０４に物理的に結合する。一実施形態において、管腔内デバイス１０２は、案内ワイヤ出口ポート１１６を更に含む。したがって、幾つかの場合において、管腔内デバイス１０２は迅速交換型カテーテルである。案内ワイヤ出口ポート１１６は、管腔１２０を通して管腔内デバイス１０２を方向付けするために、案内ワイヤ１１８が遠位端に向けて挿入されることを可能にする。
【００３２】
[0044]  モニター１０８は、例えばコンピュータモニター又は他のタイプのスクリーンといったディスプレイデバイスである。モニター１０８は、選択可能なプロンプト、指示、及びイメージングデータの可視化結果をユーザーに表示するために使用される。幾つかの実施形態において、モニター１０８は、管腔内イメージング工程を遂行するために工程特有のワークフローをユーザーに提供するために使用される。このワークフローは、管腔の状態及びステントの可能性を特定するためにプレ・ステント計画を実施すること、及び、管腔内に配置されたステントをチェックすることを有する。ワークフローは、図２〜図７に示される表示内容又は可視化結果のうちの任意のものとしてユーザーに提示される。
【００３３】
[0045]  図２は、本開示の態様によるプロンプト２０２を示す例示的な表示内容２００を示す。幾つかの実施形態において、表示内容２００は図１に示されるモニター１０８に表示される。他の実施形態において、表示内容２００は、例えばＰＩＭ１０４といった別のデバイスのスクリーンに表示される。表示内容２００は、管腔内イメージングシステム１００の制御装置により生成される。幾つかの実施形態において、表示内容２００は、プロンプト及び指示並びに他のデータをオペレーターに表示するように構成される。表示内容２００は、管腔内工程のための完全な全体的なワークフローを示すために使用される。このワークフローは、工程を通してオペレーターを案内する多くのプロンプト及び指示を含む。これは、工程のステップを簡略化し、オペレーターの誤りを回避することに役立つ。
【００３４】
[0046]  オペレーターが選択肢を選択するために表示内容２００と対話するように、プロンプト及び指示が、選択可能な選択肢として表示内容２００に表示される。選択された選択肢に対応した情報が示されるように、オペレーターの選択が表示内容２００を変える。図２の例において、選択可能なプロンプト２０２が表示内容２００に表示されている。プロンプトは２つの選択可能な選択肢、すなわち、プレ・ステント計画に対応した選択肢２０４と、ポスト・ステントチェックに対応した選択肢２０６とを含む。オペレーターは選択肢２０４、２０６のうちの１つを選択し、その選択がワークフローを先に進め、結果として、他のスクリーン（例えば図３に示されるプロンプト３０２）が表示される。選択肢２０４、２０６は、工程の種類の視覚表現を含む。例えば、選択肢２０４は心臓内における脈管構造の描写を含み、選択肢２０６はステントの描写を含む。幾つかの実施形態において、選択肢２０４、２０６の選択は、選択肢２０４、２０６の視覚的描写の変化を伴う。例えば、プレ・ステント計画の選択肢２０４が選択された場合、選択肢２０４は、表示内容２００の将来の表示において陰影を付けられて、又はグレーとして現れる。これは、この選択肢２０４がオペレーターにより以前に選択されたことを示すことに役立つ。他の種類のフィードバックが、選択肢の選択を示すために使用されてよい。例えば、選択可能な選択肢２０４、２０６は、点滅エリア、強調表示エリア、変更された色、陰影、変更された透過性、及び他の視覚インジケーターを表示する。
【００３５】
[0047]  選択肢２０４は、管腔内工程（例えば引き戻し動作）を実施すること、及び、結果を見ることを有するプレ・ステント計画のためのワークフローを提供する。選択肢２０４は、ステントの配置により恩恵を受ける管腔１２０内におけるエリアを特定するために使用される。選択肢２０６は、管腔内工程（例えば引き戻し動作）を実施すること、及び、ステントが以前に配置された管腔１２０内におけるエリアの結果を見ることを有するポスト・ステントチェックのためのワークフローを提供する。この選択肢２０６は、ステントの配置及び有効性を観測するために使用される。
【００３６】
[0048]  図３は、本開示の態様によるプロンプト３０２を示す例示的な表示内容２００を示す。幾つかの実施形態において、プロンプト３０２は、選択肢２０４、２０６のいずれかが選択された後に表示される。他の実施形態において、プロンプト３０２は、プレ・ステント計画の選択肢２０４が選択された後にのみ表示される。プロンプト３０２は、標的脈管を選択するようにオペレーターを促す。図３の例において、標的脈管を選択することは、心臓内における動脈を含む可視化結果３０４における領域を選択することを有する。選択可能領域は、右冠動脈（ＲＣＡ）、左前下行枝（ＬＡＤ）、及び左回旋枝（ＬＣＸ）を含んでよい。選択可能領域は、動脈の様々な領域、及び、患者の解剖学的構造の他の部分内における他の脈管及び管腔を含んでもよい。領域のうちの１つがオペレーターにより選択された場合、可視化結果３０４の外観が変更されてよい。例えば、選択された動脈が、輪郭を描かれ、強調表示され、又は異なる色により色付けされる。幾つかの実施形態において、図４に示されるように、選択された動脈が青色により輪郭を描かれる。
【００３７】
[0049]  図４は、本開示の態様によるプロンプト４０２を示す例示的な表示内容２００を示す。プロンプト４０２は、オペレーターが図３に示されるプロンプト３０２に対する選択をした後に表示される。図４の例では、ＬＡＤ動脈がオペレーターにより選択されている。プロンプト４０２は、ＬＡＤにおける最遠位点から小孔まで引き戻し工程を実施するための指示４０３とともに、ＬＡＤの輪郭を描いた画像を示す。これらの指示４０３は、引き戻し工程、又は、選択された脈管又は管腔１２０内におけるデバイスの他の動き１０２を表す。指示４０３は、選択された標的脈管内におけるデバイス１０２の任意の種類の動きを実施するようにオペレーターに指示する。例えば、指示４０３は、選択された標的脈管に沿って所与の距離分、デバイス１０２を押すようにオペレーターに指示する。指示４０３に対応した可視化結果４０４も、表示内容２００に表示される。図４の例において、可視化結果４０４は、引き戻し工程が実施されなければならない方向を示す矢印を含む青色の線４０６を含む。可視化結果４０４は、視覚効果、例えば色又はアニメーションを変化させることを含んでよい。例えば、可視化結果４０４の矢印は指示４０３により指定された方向に動く。指示４０３及び可視化結果４０４は、以前に選択された選択肢に応じて変動する。例えば、オペレーターが標的脈管としてＲＣＡを選択した場合、ＲＣＡの可視化結果４０４が強調表示され、及び、指示４０３により輪郭を描かれた工程を示すように対応する可視化結果が表示される。
【００３８】
[0050]  幾つかの実施形態において、表示内容２００の指示４０３は、どの選択肢２０４、２０６が図２に示されるプロンプト２０２から選択されたかに応じて変わる。例えば、ポスト・ステントチェックの選択肢２０６が選択された場合、指示は、「ステントの遠位点からステントの近位点まで引き戻しを実施してください」と表示する。イメージング工程を実施するように、及び、選択された標的脈管及び／又はステントに関連したイメージングデータを獲得するようにオペレーターを案内するために、他の指示が含まれてもよい。
【００３９】
[0051]  図５は、本開示の態様によるプロンプト５０２を示す例示的な表示内容２００を示す。プロンプト５０２は、オペレーターが図４に示されるプロンプト４０２に対する選択をした後に表示される。図５の例では、ＬＡＤ動脈がオペレーターにより選択されている。プロンプト５０２には、可視化結果５０４が付随する。幾つかの実施形態において、可視化結果５０４は、デバイス１０２が選択された標的脈管を通して動かされるときの、デバイス１０２からのイメージングデータを示す。イメージングデータは、オペレーターのための参照として使用される。特に、可視化結果５０４に示されるイメージングデータは、どこで工程を始めるかをオペレーターが知ることに役立つ。図５の例において、イメージングデータは、引き戻し動作が実施されるように、デバイス１０２がＬＡＤ動脈の遠位端に配置されたときを示す。イメージングデータは、他の参照データ、例えば、管腔１２０に沿った関心エリア、管腔１２０の枝、管腔１２０内における問題エリア、及び他の特徴を示してもよい。幾つかの実施形態において、デバイス１０２が指示により指定された位置に（例えば、動脈の遠位部に）配置されたとき、オペレーターは、工程の記録を始めるための記録ボタン５０８を選択してよい。表示内容は、工程前に、又は工程中にイメージングデータの特定のフレームを保存するための選択肢５０６を更に含む。
【００４０】
[0052]  図６は、本開示の態様による例示的な可視化結果３１０を示す。可視化結果３１０は、モニター１０８に表示される。可視化結果３１０は、管腔内工程中にデバイス１０２により獲得されたイメージングデータを提示する。幾つかの実施形態において、管腔内工程は、図３〜図５に示される指示において概説される。幾つかの実施形態において、可視化結果３１０は、管腔１２０、例えば選択された標的脈管に対応したイメージングデータを含む。可視化結果３１０は、管腔１２０の第１のビュー６０４及び第２のビュー６１０を含んでよい。幾つかの実施形態において、第１のビュー６０４及び第２のビュー６１０は、９０度ずらして配向される。図６の例において、第１のビュー６０４は、管腔１２０を真っ直ぐに見たビュー（又は「長手方向ビュー」として説明される）に対応したイメージングデータを示し、第２のビュー６１０は、管腔１２０の横断ビューに対応したイメージングデータを示す。ビュー６０４、６１０は、対応するイメージングデータを含む。第１のビュー６０４及び第２のビュー６１０の表示内容は、概して１つの断層撮影画像を含む既存のシステムでは示されない。他の実施形態において、１つ又は複数の横断、断面、断層撮影、３Ｄ又は４Ｄ画像を含む他のビューが示されてもよい。例えば、４Ｄ横断画像は、示される時間成分を伴う３Ｄ横断画像である。
【００４１】
[0053]  幾つかの実施形態において、可視化結果３１０は、デバイス１０２により受信されたイメージングデータの選択されたフレームを含む。オペレーターは、デバイス１０２により受信されたイメージングデータから任意のフレームを選択することが可能であってよい。これは、オペレーターが管腔１２０における特定の関心エリアに注目することを可能にする。
【００４２】
[0054]  幾つかの実施形態において、イメージングデータがデバイス１０２により獲得されたとき、測定が、管腔内イメージングシステム１００の制御装置を使用してイメージングデータに対して自動的に実施される。既存のイメージングシステムは、典型的には、オペレーターが関心のあるフレームを手動で選択すること、及び、測定のためのエリアをマーキングすることを必要とする。これは、時間のかかるプロセスであり、特に、測定のためのエリアをマーキングすることにユーザーの誤りを誘発し得る。これらの誤りは、オペレーターがイメージングデータ内における重要な特徴、例えば病巣を見逃すことをもたらす。管腔内イメージングシステム１００は、ユーザー対話を必要とせずに、受信されたイメージングデータにおける特徴の自動測定を提供する。幾つかの実施形態において、システム１００は、（表示された画像におけるものを含む）イメージングデータにおけるすべての適用可能な境界、例えば、解剖学的境界（例えば管腔の境界）、及び、ステントを自動的に測定する。更に、システム１００は、自動測定に基づいて関心エリアを自動的に識別し、長手方向ビュー又は管腔の脈管造影画像に相関したこれらの関心エリアを表示する。この自動測定、分析、及び表示は、患者の管腔の理解しやすい概観を提供し、病巣スコアを生成するためのデータを提供する。
【００４３】
[0055]  図６の例では、脈管の境界６０８及び最小管腔面積（ＭＬＡ）６０６に対応した自動測定結果が第１のビュー６０４に表示されている。測定結果は、血管の直径、脈管の中心、脈管の境界６０８の厚さ、及び、制御装置により自動的に実施された他の測定結果を含んでもよい。これらの測定結果は、他のビューに示されてもよい。例えば、マーカー６１４は、第１のビュー６０４におけるＭＬＡ６０６に対応した第２のビュー６１０におけるＭＬＡに位置する。これは、オペレーターが管腔１２０に沿った脈管の境界の直径を可視化することに役立つ。測定結果は、可視化結果３１０におけるボックス６１２に数値形式で表示される。可視化結果３００の特定の部分及びビューは、選択肢６２０、６２２、及び６２４を選択することによりオペレーターにより見られる。
【００４４】
[0056]  図７は、本開示の態様による病巣ビューを示す例示的な可視化結果７００を示す。幾つかの実施形態において、可視化結果７００は、図２に示されるプレ・ステント計画の選択肢２０４に対応している。幾つかの実施形態において、可視化結果７００は、病巣に対処するためにステントの配置及びサイズを推奨するために使用される。これらの推奨案は、デバイス１０２により受信されたイメージングデータに基づいてシステム１００により自動的に作られる。特に、可視化結果７００は、ステントに対する可能な「着地ゾーン」８３４とともに管腔１２０の部分を可視化するために使用されてよい。幾つかの実施形態において、着地ゾーン８３４は、マーカー６１４によりマーキングされた管腔１２０の部分のＭＬＡを含む管腔１２０内における関心エリアである。着地ゾーン８３４は、着地ゾーン８３４内におけるステントの可能な配置を示すために、ビュー６１０におけるプロファイルに示される。着地ゾーン８３４の遠位端マーカー８３０と近位端マーカー８３２とは、可能なステントの遠位程度及び近位程度を規定する。遠位端マーカー８３０及び近位端マーカー８３２は、これらの位置における管腔１２０の平均直径及びプラーク負荷を示す数値データ８２０、８２２を添えられる。幾つかの実施形態において、可視化結果は、管腔１２０に沿ったプラーク負荷８５２の描写でもある。幾つかの実施形態において、プラーク負荷８５２の描写は、デバイス１０２からイメージングデータに基づいて自動的に測定される。可視化結果７００は、管腔面積８５０の描写を更に含む。図７に示されるように、ＭＬＡに対するマーカー６１４は、プラーク負荷が最大であり、及び管腔の面積が最小である場所に位置する。プラーク負荷測定結果、管腔径測定結果、管腔面積測定結果、及び他の画像ベースの、又は生理機能ベースの測定結果のうちの１つ又は複数が、病巣スコアを生成するために使用される。
【００４５】
[0057]  幾つかの実施形態において、可視化結果７００は、テキストボックス８１２に示される推奨ステント径を含む。この直径は、システム１００により測定された管腔１０２の直径に基づく。
【００４６】
[0058]  図８は、本開示の態様による例示的な可視化結果８００を示す。可視化結果８００は、モニター１０８に表示される。可視化結果８００は、管腔９１０及び周辺組織の画像９０２を含む。画像９０２は、放射線画像、例えば脈管造影画像、である。幾つかの実施形態において、管腔９１０は、強調表示領域９０４を含む。幾つかの実施形態において、システム１００は、管腔径及び／又はエリアを含む管腔の特徴を自動的に測定し、管腔の特徴にラベル付けする。強調表示領域９０４は、これらの測定結果に基づく１つ又は複数の関心エリア９０６を含む。図９の例において、強調表示領域９０４は、Ａ、Ｂ、及びＣによりラベル付けされる３つの関心エリア９０６を含む。幾つかの実施形態において、強調表示領域９０４は、パーセント狭窄に従って色付けされる。色基準キー９０８が脈管造影画像に表示され、強調表示領域及びパーセント狭窄における着色間の相関を示す。図８の例において、関心エリア９０６にわたる赤色の着色は、深刻である可能性のある病巣を示す。図８の画像９０２内におけるイメージングデータは、病巣スコアを生成するために使用される。例えば、システム１００は、強調表示領域９０４内における色データを分析し、深刻である可能性のある病巣が関心エリア９０６に存在することを特定する。
【００４７】
[0059]  図９は、本開示の態様による例示的な可視化結果９００を示す。可視化結果９００は、モニター１０８に表示される。可視化結果８００は、放射線画像、例えば脈管造影画像、である、管腔９２０及び周辺組織の画像９１２を含む。管腔９１０は、システム１００により自動的に実施される測定結果を含む。これらの測定結果は、管腔９１０の長さに沿ったシンボル９２２により表示されるプラーク負荷を含む。幾つかの実施形態において、シンボル９２２は、管腔におけるプラーク負荷の重症度を表すドットとして現れる。各ドットは、１０％、１５％又は２０％のプラーク負荷に対応する。図９の例において、関心エリア９３２におけるプラーク負荷は、約８０％であり、非常に深刻な病巣を示す。管腔は、管腔における特徴の測定結果に基づいてシステム１００により自動的に識別される１つ又は複数の関心エリア９３２を更に含む。幾つかの実施形態において、テキストボックス９２４、９２４、９２６は画像９１２における各関心エリア９３２に対して表示される。これらのテキストボックス９２４、９２６、９２８は、画像９１２において矢印シンボル９３０とともに示される関心エリア９３２の長手方向測定結果（例えば、８、９、又は１２ｍｍ）を含む。テキストボックス９２４、９２６、９２８は、各関心エリア９３２に対する管腔９１０にわたる直径の変化（例えば、０．０８、０．０４、及び０．１６ｍｍ）を更に含む。
【００４８】
[0060]  図１０は、本開示の態様による病巣スコア１００２を含む例示的な可視化結果１０００を示す。可視化結果は、管腔９２０を含む脈管造影画像である画像１０１２、及び、管腔９２０の１つ又は複数の管腔内ビュー１０１０、１０２０、１０３０を含む。幾つかの実施形態において、管腔内ビュー１０１０、１０２０、１０３０は、管腔９２０に沿った異なる位置を示す管腔９２０の横断ビューである。例えば、管腔は、管腔９２０の測定されたパラメータに基づいてシステム１００により識別された関心エリア９３２を含む。第１の管腔内ビュー１０１０は、関心エリア９３２に関連して遠位基準位置と相関し、第２の管腔内ビュー１０２０は、関心エリア９３２の最小管腔エリア（ＭＬＡ）と相関し、第３の管腔内ビュー１０３０は、関心エリア９３２に関連して近位基準位置と相関する。管腔内ビュー１０１０、１０２０、１０３０は、管腔を通して動かされる管腔内デバイス１０２からイメージングデータを受信した後にシステム１００により生成される。幾つかの実施形態において、管腔内ビュー１０１０、１０２０、１０３０は、例えば示される点線１０１３及び整合した色により、管腔９２０の脈管造影ビューに沿ったそれらの位置と視覚的に相関をもたされている。他の視覚的な相関、例えば共通のシンボル又はインジケーター、が可能である。管腔内ビュー１０１０、１０２０、１０３０は、管腔９２０及び周辺組織のより完全なビューをユーザーに与えるために、管腔９２０のより完全なビューを提供する。
【００４９】
[0061]  幾つかの実施形態において、病巣スコア１００２は、可視化結果１０００において提供される。病巣スコアは、例えば関心エリア９３２に近接して、画像１０１２に表示される。病巣スコア１００２は、病巣の重症度の標示を提供する。病巣及びステントの拡張のスコアリングが議論されるが、本明細書において提示されるスコアリング方法は、脈管診断における他の用途、例えば、動脈瘤、血栓、又は他の脈管疾患の重症度、及び、関連する処置スコアをスコアリングすること、に拡張されてよい。病巣スコア１００２は、プラーク負荷、管腔面積、管腔径、パーセント狭窄、管腔の偏心率、管腔内における石灰化部位、管腔に沿った位置（例えば分岐部付近）、及び／又は、管腔内における圧力測定結果（例えばＦＦＲ、ＩＦＲ、ＰＤＰＡ）といったものが挙げられる１つ又は複数の因子を使用して計算される。幾つかの実施形態において、病巣スコア１００２は、脈管造影画像に関連した因子を更に含む。例えば、関心エリア９３２の基準長さ（すなわち、遠位基準点と近位基準点との間の距離）に対する、管腔９２０における関心エリア９３２の最小幅の比率、管腔９２０の他の部分と比べた閉塞又は病巣の比率、管腔９２０における蛇行、及び／又は、画像品質問題、例えばかすみのあるエリアである。正確である可能性が高い因子が正確である可能性が低い因子より高く重み付けされるように、これらの因子が重み付けされる。幾つかの実施形態において、侵襲性工程に関連した因子（例えば、ＩＶＵＳデータ又は他の脈管内データに関連した因子）は、非侵襲性工程に関連した因子より高く重み付けされる。病巣スコア１００２は、関心エリア９３２に対応した強調表示エリア、及び最大可能病巣スコアとともに表示される。
【００５０】
[0062]  幾つかの実施形態において、病巣スコアは、０から１００の間の数により表され、ここで、０は最も深刻さが低く、１００は最も深刻さが高い。幾つかの実施形態において、高い病巣スコア（例えば９０又は９５）は深刻な病巣と相関し、低いスコア（例えば２５以下）は軽度の病巣と相関する。他の実施形態において、病巣スコアは、０．０の値（最も深刻さが低い）から１．０の値（最も深刻さが高い）までの範囲である。病巣スコアは、赤色が深刻であり、緑色が深刻ではないように、視覚的な手がかり、例えば（図８における強調表示領域９０４により示される）色スキームに相関する。他の数値付与体系、色スキーム、及び視覚的な手がかりも、病巣スコアを表すために想定される。
【００５１】
[0063]  幾つかの実施形態において、ユーザーは、病巣スコア１００２を選択すること、及び、その特定に関与した因子及び／又は重みを見ることが可能である。ユーザーは、より多くの情報にアクセスするために、テキストボックス９２４及び横断ビュー１０１０、１０２０、１０３０を選択することも可能である。幾つかの実施形態において、横断ビュー１０１０、１０２０、１０３０は、組織層の強調表示された境界、例えば、脈管の境界１０１６及び管腔の境界１０１８、を含む。画像１０１２、横断ビュー１０１０、１０２０、１０３０、及び病巣スコア１００２は、ユーザーが管腔９２０及び周辺組織のレイアウトをより明確に理解すること、及び、管腔９２０内における病巣の重症度をより明確に理解することに役立つ。
【００５２】
[0064]  図１１は、本開示の態様による管腔内におけるステントを示す例示的な可視化結果１１００を示す。幾つかの実施形態において、可視化結果１１００は、オペレーターが図２のステントチェックの選択肢２０４を選択した後に、及び、後続のワークフローステップを通して案内された後に示される。可視化結果１１００は、ステントが配置された管腔１２０内における移動（例えば引き戻し手順）中にデバイス１０２から集められたイメージングデータ、及び、管腔の周辺エリアのイメージングデータを表示する。可視化結果１１００は、脈管及びステントの長手方向ビュー１１１０、及び、脈管及びステントの横断ビュー１１２２を含む。システム１００は、イメージングデータにおける特徴、例えば、管腔の境界、脈管の境界、及びステント縁部及び境界、を自動的に測定する。例えば、ステントの境界１１２４の形状及び寸法は、横断ビュー１１２２において測定され、及び表示される。ステントの形状及び寸法は、長手方向ビュー１１１０におけるステント１１１５の描写として測定され、及び表示される。可視化結果１１００は、ステントの直径、面積、及び長さの測定結果を含む。これらの測定結果は、ステント尺度ボックス１１０６内に表示される。図１１の例において、最小ステント面積（ＭＳＡ）は、１０．１ｍｍ２と測定されており、最小ステント径（ＭＳＤ）は、３．５ｍｍと測定されている。
【００５３】
[0065]  可視化結果１１００は、受信されたイメージングデータに基づいてステントの遠位縁部と近位縁部とをマーキングするインジケーター１１１４、１１１８を含み、インジケーター１１１２、１１２０は、遠位基準点及び近位基準点をマーキングする。これらの基準点は、管腔内において測定されたパーセント狭窄、例えば３０パーセント狭窄以上、に基づいてシステム１００により自動的に決定される。他の実施形態において、遠位基準及び近位基準はユーザーにより決定される。インジケーター１１１２、１１２０は、イメージングデータの異なる集合を見るために、ユーザーにより管腔に沿って動かされる。可視化結果１１００は、ステントのＭＳＡをマーキングするインジケーター１１１６を更に含む。横断ビュー１１２２は、図１１に示されるように、このインジケーターに対応する。ユーザーは、脈管内の選択されたインジケーター１１１２、１１１４、１１１８、１１２０の位置に対応したデータを含む横断ビューにアクセスするために、他のインジケーター１１１２、１１１４、１１１８、１１２０のうちの任意のものを選択することも可能である。
【００５４】
[0066]  幾つかの実施形態において、拡張スコア１１０２が、可視化結果１１００において提供される。拡張スコアは、ステント尺度ボックス１１０６に含まれてもよい。拡張スコア１１０２は、１つ又は複数の因子を使用して計算される。幾つかの実施形態において、拡張スコアは、ステント１１１５のストラット１１１７が管腔壁とどれだけ近く位置合わせされるかに基づいている。特に、管腔壁から大幅にずれた位置にあるストラット１１１７が多いほど、拡張スコアが低い。ステントストラット１１１７は、ステントストラット１１１７が管腔壁と位置合わせされてない赤色強調表示のエリアを含んで、可視化結果に描かれる。ステント１１１５と管腔との間の位置ずれが、例えば強調表示エリア１１２６により、横断ビュー１１２２に示される。拡張スコアは、ステントの他の特徴と管腔壁との位置合わせ状態、ステントの縁部における拡張、測定されたステント面積、直径、及び長さ、位置ずれ又は不完全密着のエリア、管腔に沿ったステントの配置、及び／又は、管腔内における圧力測定結果（例えばＦＦＲ、ＩＦＲ、ＰＤＰＡ）といった他の因子に基づいてもよい。これらの因子は、正確である可能性が高い因子が正確である可能性が低い因子より高く重み付けされるように重み付けされる。幾つかの実施形態において、侵襲性工程に関連した因子（例えばＩＶＵＳデータ又は他の脈管内データに関連した因子）は、非侵襲性工程に関連した因子より高く重み付けされる。
【００５５】
[0067]  幾つかの実施形態において、拡張スコアは０から１００の間の数により表され、ここで、０は全く拡張していないことであり、１００は完全に拡張していることである。他の実施形態において、拡張スコアは、０．０の値（拡張していない）から１．０の値（完全に拡張している）までの範囲である。病巣スコアと同様に、拡張スコアは、例えば、赤色が（図１１に示される）ステントの位置ずれを表し、黒色がステントの完全な位置合わせ状態を表すような色スキームといった、視覚的な手がかりに相関する。ステントのどのエリアが管腔壁と位置合わせされてないかをユーザーが目視するように、この色スキームがステントの画像にわたって変わる。他の数値付与体系、色スキーム、及び視覚的な手がかりが拡張スコアを表すことも想定される。
【００５６】
[0068]  拡張スコア１１０２は、図１１に示されるように、不完全密着１１２６のエリアに対応した強調表示エリアとともに表示される。不完全密着のエリアは、ステントを含む問題の明確なビューをユーザーに与えるために、横断ビュー１１２２と長手方向ビュー１１１０との両方に示される。推奨案１１０４は、拡張スコア１１０２に基づいて可視化結果１１００に表示される。図１１の例において、推奨案は、拡張スコアの８４に基づいて、「事後拡張を必要とする。」となる。幾つかの実施形態において、推奨案１１０４は、９０パーセント、８５パーセント、８０パーセント、又は７５パーセント未満の拡張スコアに対する事後拡張を含む。他の推奨案１１０４、例えば管腔の特定のエリアを再イメージングすること、が提供されてもよい。可視化結果１１００は、ステント縁部の配置の特定を含む。図１１の例において、遠位縁部は「悪い」と特定され、近位縁部は「ｏｋ」と特定される。ステント縁部の特定は、ステント縁部に近接したステント壁の拡張に基づく。例えば、ステント縁部は、拡張が９０、８５、８０、又は７５パーセント未満である場合に、「悪い」と特定される。拡張スコア１１０２を伴う可視化結果１１００は、管腔内におけるステントの配置及び拡張をユーザーがより明確に理解することに役立つ。
【００５７】
[0069]  図１２は、ユーザーに管腔内イメージング工程のためのガイド付きのワークフローを示す方法１２００のフロー図である。幾つかの実施形態において、方法のステップ１２００は、図１に示される管腔内イメージングシステム１００及び関係するコンポーネント、及び図５〜図１１に示される表示内容のうちの任意のものにより実行される。方法１２００のステップは、図１２に示される順序と異なる順序で実施されてよく、追加的なステップがステップ前、ステップ中、及びステップ後に提供され得、及び／又は、説明されるステップのうちの幾つかが、他の実施形態において置換されるか、又は取り除かれ得ることが理解される。
【００５８】
[0070]  ステップ１２０２において、方法１２００は、管腔内において管腔内イメージングデバイスをナビゲートすることのプロンプトを提供することを有する。管腔内イメージングデバイスは、図１に示される管腔内イメージングデバイス１０２であってよい。プロンプトは、管腔内イメージングデバイスを管腔における始点までナビゲートすること、及び、管腔内デバイスにおけるセンサーを有効化することを有してよい。このプロンプトは、ユーザーがどこに管腔内デバイスを配置しなければならないかを示すテキスト及び画像とともに提示される。
【００５９】
[0071]  ステップ１２０４において、方法１２００は、管腔内デバイスからイメージングデータを受信することを有する。このイメージングデータは、ステップ１２０２のプロンプトに従ってユーザーが管腔内デバイスを正確にナビゲートすることに役立つ。例えば、ステップ１２０２のプロンプトが管管腔の遠位端から管腔の近位端まで腔内デバイスをナビゲートするようにユーザーに指示する場合、イメージングデータは、管腔内デバイスが管腔を通して動かされるときの管腔内デバイスからのイメージングデータを示す。幾つかの実施形態において、イメージングデータは、脈管の内部における組織の層を示すＩＶＵＳデータを含む。他の実施形態において、イメージングデータは別のモダリティからのデータ、例えば脈管造影画像データを含む。このデータは、管腔の脈管造影画像をコンパイルするために使用される。したがって、イメージングデータは、ユーザーがプロンプトにおいて概説された動作を正確に実施することに役立つ。
【００６０】
[0072]  ステップ１２０６において、方法１２００は、管腔内における特徴の測定結果を提供することを有する。このステップは、システムを使用して２つ以上のビュー内の特徴を自動的に、又は手動で測定することを有する。幾つかの実施形態において、システムは、イメージングデータにおける変化に基づいて特徴を自動的に識別し、これらの特徴の寸法を自動的に測定する。他の実施形態において、ユーザーがビュー内における特徴を識別し、これらの特徴の寸法を手動で測定する。特徴として、解剖学的特徴、例えば、組織境界、病巣、分岐部など、及び人工の特徴、例えばステント、が挙げられる。幾つかの実施形態において、測定結果として、管腔の長さに沿った管腔の直径及び面積、及び、管腔の長さに沿った管腔のパーセント狭窄が挙げられる。自動測定は、管腔の管腔内画像、及び放射線画像、例えば管腔の脈管造影画像に対して実行される。
【００６１】
[0073]  ステップ１２０８において、方法１２００は、病巣を含む管腔における関心領域を識別することを有する。関心領域は、ステップ１２０６の測定結果に基づいて自動的に識別される。例えば、関心領域は、ＭＬＡの周囲において識別される。識別された関心領域は、ディスプレイデバイス、例えば図１に示されるモニター１０８、に表示される。関心領域は、管腔の長手方向画像又は脈管造影画像に相関する。
【００６２】
[0074]  ステップ１２１０において、方法１２００は、受信されたイメージングデータと手動による、又は自動的な測定結果とに基づいて病巣スコアを特定することを有する。病巣スコアは、プラーク負荷、管腔面積、管腔径、パーセント狭窄、管腔の偏心率、管腔内における石灰化部位、管腔に沿った（例えば分岐部付近の）位置、及び／又は管腔内における圧力測定結果（例えばＦＦＲ、ＩＦＲ、ＰＤＰＡ）といったものが挙げられる因子に基づく。幾つかの実施形態において、病巣スコアは、一緒に圧力検出ガイドワイヤ及びＩＶＵＳイメージングデバイスから受信された測定結果に基づいている。病巣スコアは０から１００の間の数により表され、ここで、０は最も深刻さが低いことであり、及び１００は最も深刻さが高いことである。
【００６３】
[0075]  ステップ１２１２において、方法１２００は、ディスプレイデバイスに管腔の画像を表示することを有する。幾つかの実施形態において、管腔の２つ以上のビューがディスプレイデバイスの同じスクリーンに示される。例えば、管腔の横断管腔内ビューは、管腔の脈管造影ビューとともに示される。管腔の横断管腔内ビューは、管腔の長手方向管腔内ビューとともに示されてもよい。管腔のどの部分が表示されているかをユーザーが簡単に理解し得るように、管腔のビューは視覚的に相関をもたされる。図５〜図１１に示される管腔のビューのうちの任意のものが、ステップ１２１２において表示される。
【００６４】
[0076]  ステップ１２１４において、方法１２００は、ディスプレイデバイスに病巣スコアを表示することを有する。幾つかの実施形態において、病巣スコアは、ステップ１２１２において説明されているように管腔の１つ又は複数の画像と同じスクリーンに表示される。幾つかの実施形態において、病巣スコアは、管腔の脈管造影画像及び１つ又は複数の管腔の横断管腔内ビューとともに表示される。病巣スコアは、推奨案、例えば病巣スコアに基づく推奨されるイメージング手順又は処置とともに表示される。
【００６５】
[0077]  図１３は、ユーザーに管腔内イメージング工程のためのガイド付きのワークフローを示す方法１３００のフロー図である。幾つかの実施形態において、方法のステップ１３００は、図１に示される管腔内イメージングシステム１００及び関係するコンポーネント、及び、図５〜図１１に示される表示内容のうちの任意のものにより実行される。方法１３００のステップは、図１３に示される順序と異なる順序で実施されてよいこと、追加的なステップがステップ前、ステップ中、及びステップ後に提供され得ること、及び／又は、説明されるステップのうちの幾つかが、他の実施形態において置換されるか、又は取り除かれ得ることが理解される。
【００６６】
[0078]  ステップ１３０２において、方法１３００は、管腔内において管腔内イメージングデバイスをナビゲートすることのプロンプトを提供することを有する。管腔内イメージングデバイスは、図１に示される管腔内イメージングデバイス１０２であってよい。プロンプトは、管腔における始点まで管腔内イメージングデバイスをナビゲートすること、及び、管腔内デバイスにおけるセンサーを有効化することを有する。このプロンプトは、ユーザーがどこに管腔内デバイスを配置しなければならないかを示すテキスト及び画像とともに提示される。
【００６７】
[0079]  ステップ１３０４において、方法１３００は、ステントを含む管腔内デバイスからのイメージングデータを受信することを有する。このデータは、管腔及びステントの脈管造影画像をコンパイルするために使用される。したがって、イメージングデータは、ユーザーがプロンプトにおいて概説された動作を正確に実施することに役立つ。
【００６８】
[0080]  ステップ１３０６において、方法１３００は、ステントの測定結果を提供することを有する。このステップは、システムを使用して２つ以上のビュー内のステントを自動的に、又は手動で測定することを有する。幾つかの実施形態において、システムは、イメージングデータにおける変化に基づいてステントを自動的に識別し、ステントの寸法を自動的に測定する。他の実施形態において、ユーザーは、ビュー内におけるステントを識別し、ステントの寸法を手動で測定する。これらの測定結果として、ステントの長さ、管腔内におけるステントの位置、ステント壁と管腔壁との位置合わせ状態、及び／又は、ステントの長さに沿ったステントの面積及び直径が挙げられる。自動測定は、管腔及びステントの管腔内画像、及び放射線画像、例えば管腔及びステントの脈管造影画像において実行される。
【００６９】
[0081]  ステップ１３０８において、方法１３００は、受信されたイメージングデータと手動による、又は自動的な測定結果とに基づいて拡張スコアを特定することを有する。拡張スコアは、管腔壁に対するステント壁の位置合わせ状態、ステントの縁部における拡張、測定されたステント面積、直径、及び長さ、位置ずれ又は不完全密着のエリア、管腔に沿ったステントの配置、及び／又は、管腔内における圧力測定結果（例えばＦＦＲ、ＩＦＲ、ＰＤＰＡ）といったものが挙げられる１つ又は複数の因子に基づく。幾つかの実施形態において、拡張スコアは０から１００の間の数により表され、ここで、０は全く拡張していない深刻なことであり、１００は完全に拡張していることである。
【００７０】
[0082]  ステップ１３１０において、方法１３００は、ディスプレイデバイスにステントの画像を表示することを有する。幾つかの実施形態において、ステントは管腔内に表示される。管腔及びステントの２つ以上のビューは、ディスプレイデバイスの同じスクリーンに示される。例えば、ステント及び管腔の横断管腔内ビューは、ステント及び管腔の脈管造影ビューとともに示される。ステント及び管腔の横断管腔内ビューは、ステント及び管腔の長手方向管腔内ビューとともに示されてもよい。ステント及び管腔のビューが視覚的に相関をもたされるので、管腔のどの部分が表示されているかをユーザーが簡単に理解し得る。図５〜図１１に示される管腔のビューのうちの任意のものが、ステップ１３１０において表示されてよい。
【００７１】
[0083]  ステップ１３１２において、方法１３００は、ディスプレイデバイスに拡張スコアを表示することを有する。幾つかの実施形態において、拡張スコアは、ステップ１３１０において説明されているようにステント及び管腔の１つ又は複数の画像と同じスクリーンに表示される。幾つかの実施形態において、拡張スコアは、ステント及び管腔の脈管造影画像、及び、ステント及び管腔の１つ又は複数の横断管腔内ビューとともに表示される。拡張スコアは、推奨案、例えば拡張スコアに基づく推奨されるイメージング手順又は処置、とともに表示される。
【００７２】
[0084]  当業者は、上述の装置、システム、及び方法が様々な手法により変更され得ることを認識する。したがって、当業者は、本開示により包含される実施形態が上述の特定の例示的な実施形態に限定されないことを理解する。この点について、例示的な実施形態が示されて説明されるが、上述の開示における様々な変更、変形、及び置換が想定される。上述の事項に対するこのような変形例が本開示の範囲から逸脱することなく作られてよいことが理解される。したがって、添付の特許請求の範囲が、広く本開示に沿った手法で解釈されることが適切である。
【図１】
2021517033.tif 000003
【図２】
2021517033.tif 000004
【図３】
2021517033.tif 000005
【図４】
2021517033.tif 000006
【図５】
2021517033.tif 000007
【図６】
2021517033.tif 000008
【図７】
2021517033.tif 000009
【図８】
2021517033.tif 000010
【図９】
2021517033.tif 000011
【図１０】
2021517033.tif 000012
【図１１】
2021517033.tif 000013
【図１２】
2021517033.tif 000014
【図１３】
2021517033.tif 000015
【国際調査報告】
2021517033.tif 000016
2021517033.tif 000017
2021517033.tif 000018
2021517033.tif 000019
2021517033.tif 000020